【事件の表示】
　昭和６１年　特　許　願　第２７５６７５号「スペルチェック用データ処理装置」拒絶査定に対する審判事件〔（平成８年２月７日出願公告、特公平８−１２６７０）、特許請求の範囲に記載された発明の数（１）〕について、次のとおり審決する。
【結論】
　原査定を取り消す。
　本願の発明は、特許をすべきものとする。
【理由】
Ｉ、本件発明
　本願は、昭和６１年１１月１９日の出願であって、平成８年２月７日に出願公告されたところ、鈴木健史、シャープ株式会社、重野裕之よりそれぞれ特許異議の申立てがあり、その後、新たに発見した拒絶理由が通知され、鈴木健史、シャープ株式会社、重野裕之の特許異議の申立てがいずれも理由がないものとする決定がなされた後、新たに発見した拒絶理由に基づいて拒絶査定がなされたものである。
　本願発明の要旨は、特許法第１７条の３の規定により平成１０年９月２４日付で提出された手続補正書に添付された全文訂正明細書と図面の記載からみて、その特許請求の範囲に記載されたとおりの
　「アルファベット文字や記号及び種々の指令を入力する為の入力手段と、入力された単語のデータを記憶するデータ記憶手段と、ディスプレイを含む表示手段と、多数の単語を格納している辞書メモリと、入力された各単語について辞書メモリを検索してスペルチェックするスペルチェック手段とを備えたスペルチェック用データ処理装置において、
　　前記スペルチェック手段により検出されたミススペル単語の候補単語を辞書メモリから検出して記憶する候補単語検索手段と、
　　前記ミススペル単語とその候補単語とを対にして表示手段に表示させる第１の表示指令手段と、
　　その第１の表示指令手段により表示手段に表示された前記ミススペル単語及び前記候補単語の対において置換所望のものを指定する指定手段と、
　　その指定手段により指定された前記ミススペル単語及び前記候補単語の対に関して他の単語と識別可能に表示する第２の表示指令手段と、
　　前記入力手段からの指令に応答して、前記指定手段により指定された前記ミススペル単語及び前記候補単語の対においてミススペル単語のデータを候補単語のデータで置換するデータ置換手段であって、複数の同一のミススペル単語については自動的に一括して候補単語のデータで置換するデータ置換手段と、
　　を備えたことを特徴とするスペルチェック用データ処理装置。」
にあるものと認められる。
ＩＩ、引用例記載発明
　これに対して、原査定の拒絶理由に引用された特開昭５３−８３５４５号公報（以下「第１引用例」という。）には、その第１図を参照して、データワード信号列を順次入力する「入力装置３０」と、入力されたデータワード信号を可視表示する「出力装置２」と、正しいデータワード信号の所定のリストを記憶する「辞書メモリ３００」と、「処理論理装置１」とを具備する「誤りデータワード信号検出装置」が記載されている。
　そして、上記処理論理装置１は、入力されたデータワード信号と辞書メモリに記憶されたすべてのデータワード信号とを比較し、不一致のとき不一致信号を発生する「比較器３１１」と、この比較器３１１から不一致信号が発生されたときに、この不一致信号を発生させた上記データワード信号を誤りデータワード信号として記憶するとともに、この信号のデータワード信号列中における位置を示す位置信号を記憶する「エラーリストメモリ３２５」と、上記入力装置からデータワード信号列の終点を示す信号が入力されたときに、上記エラーリストメモリ３２５に記憶されたデータワード信号及び　その位置信号を順次読出すメモリ制御回路と、上記エラーリストメモリ３２５から読出されたデータワード信号及びその位置信号に応動してこのデータワード信号を出力装置２において指示し、指示したデータワード信号が正しくないことを示す信号が上記入力装置３０から入力されたときに、上記指示したデータワード信号を上記入力装置３０から新たに入力されるデータワード信号に置換して可視表示させるように上記出力装置２を制御する出力制御装置とで構成されている。
　同じく引用された特開昭５８−２２５４２９号公報（以下「第２引用例」という。）には、文章入力及び綴り修正等の制御指示のために使用される「キーボード２」と、英文文章データの入カ及び処理をモニタするための「ディスプレイ１」と、キーボードあるいはファイルから入力されたデータの一時的蓄積のために使用される「バッファ３と」、入力された英文文章について各種文章編集或いは文書作成の処理を行う「英文文章処理部４」と、「基本単語の綴り辞書６」と「基本単語綴り比較部１０」、「一時的単語の綴り辞書７」と「一時的単語綴り比較部１１」、「綴り誤り単語の変換辞書８」と「誤り単語綴り比較部１２」、「置換え処理部１３」、「修正処理部１４」、「綴り誤り修正制御部９」を具備し、入力データが英文文章処理部において処理されるのに先立って、文章中の各単語の綴り誤りをチェックして修正する前処理を行う「綴り誤り修正処理装置５」とからなる「英文文章処理装置」が記載されている。
　同じく引用された特開昭６０−２１４０７３号公報（以下「第３引用例」という。）には、「文字キー３」、「スペースキー４」、「訂正キー５」、「次候補呼出キー６」、「カーソル移動キー７」、「選択実行キー８」が設けられた「入力キーボード２」と、「ＣＲＴ９」からなる「表示手段」と、表示機能、判別機能、検索抽出機能の各機能を有する「中央処理装置１１」と、中央処理装置１１に接続された「辞書用メモリ１２」ならびに「作業用メモリ１３」と、「プリンタ装置１０」とからなる「欧文ワードプロセッサ」が記載されている。そして上記欧文ワードプロセッサにおいては、
　▲１▼文字キーにより英文字あるいは英数字等が入力されると、中央処理装置は、その文字をＣＲＴに順次表示するとともに、その文字に対応した文字データを作業用メモリに記憶させ、
　▲２▼所望の英単語を入力した後、スペースキーが押されると、中央処理装置は、それまでの英文字列を一つの英単語として認識し、その英単語が辞書用メモリ内に存在するか否かを検索し、
　▲３▼その英単語が正しい綴りで入力されて辞書用メモリ内に存在することが判明した場合には、そのまま表示し、
　▲４▼誤って入力された場合には、中央処理装置はその単語が辞書用メモリ内に存在しないことを判別して、その単語を点滅表示し、
　▲５▼点滅表示された英単語を、カーソル移動キー、訂正キー及び文字キーの操作により綴りの訂正を行い、
　▲６▼正しい綴りを思い出せない場合には、次候補呼出キーを押して、誤って入力された英単語に対し文字数が同一でかつ一文字違いの単語が辞書用メモリ内に存在するか否かを検索し、
　▲７▼文字数が同一でかつ一文字違いの単語が辞書用メモリ内に存在すればその単語を次候補として順次作業用メモリに記憶させ、
　▲８▼作業用メモリに記憶された単語を順次ＣＲＴの下方部分に順次表示させ、正しい綴りである単語を発見したとき、カーソル移動キーにより、その単語の頭の文字の下へカーソルを移動させ、選択実行キーを押すと、その単語を点滅表示する単語と入れ替える、
という処理をすることができる旨が記載されている。
　同じく引用された特開昭６１−９０２５８号公報（以下「第４引用例」という。）には、「文字キー５」、「スペースキー４」、「訂正キー９」、「拡張機能キー６」、「パスキー７」、「置き換えキー８」が設けられた「入力キーボード２」と、文字キーで入力された英単語が２５文字を限度として順次表示される「液晶表示器１０」と、複の英単語のデータを格納した「辞書用メモリ１５」と、入力された英単語に対する正しいノベルの英単語を辞書用メモリから選択する機能及びその選択した英単語を表示器に表示する機能をも有する「中央処理装置１４」と、この中央処理装置１４に接続された「プログラム用ＲＯＭ１７」ならびに「作業用メモリ１６」と、「ブザー１１」と、「プリンタ装置１２」とからなる「電子タイプライタ」が記載されている。そして、上記電子タイプライタにおいては、
　▲１▼文字キー及びスペースキーにより英単語が入力されると、中央処理装置は、その英単語を作業用メモリに記憶させ、
　▲２▼辞書用メモリに予め記憶されている多数の英単語データを１つずつ順に読み出し、入力された英単語と比較し、
　▲３▼入力された英単語と一致する英単語が辞書用メモリ内に存在することを判別したときには、その単語をプリンタ装置で印字し、
　▲４▼入力された英単語と一致する英単語が辞書用メモリ内に存在しないことを判別したときには、プリンタ装置による印字を中止すると同時に、ブザーによる警告音を発生させ、
　▲５▼入力された英単語に近似する英単語を辞書用メモリから読み出して、文字キーで入力された英単語とともに表示器に表示し、
　▲６▼中央処理装置は、パスキーが操作されると、文字キーで入力された英単語をそのままプリンタ装置に印字させ、
　▲７▼中央処理装置は、置き換えキーが操作された場合には、辞書用メモリから読み出された英単語を、プリンタ装置に印字させ、
　▲８▼中央処理装置は、訂正キーが操作された後に文字キー及びスペースキーでスペルが訂正されると、その訂正後の英単語をプリンタ装置に印字させる、
という処理を行うことができる旨が記載されている。
ＩＩＩ、対比・判断
　本件発明と上記第１〜第４引用例に記載された発明とを対比すると、
　本件発明の必須構成要件である、
「第１の表示指令手段により表示手段に表示されたミススペル単語及び候補単語の対において置換所望のものを指定する指定手段、指定手段により指定されたミススペル単語及び候補単語の対に関して他の単語と識別可能に表示する第２の表示指令手段」は、上記第１〜４引用例のいずれにも記載されていない。
　そして、本件発明は、上記構成を採用することにより、ミススペル単語とその候補単語とを対にして表示するとともに、その表示手段に表示されたミススペル単語及び候補単語の対において置換所望のものを指定手段により指定すると、第２の表示指令手段が、その指定手段により指定されたミススペル単語及び候補単語の対に関して他の単語と識別可能に表示するため、特に、複数の同一ミススペル単語について自動的に一括し候補単語で置換する場合に置換操作を能率的に行うことができる、という明細書記載の効果を奏するものと認められる。
ＩＶ、むすび
　以上のとおりであるから、本件発明は、第１〜４引用例に記載された発明に基づいて、その発明の属する技術の分野における通常の知識を有するものが容易に発明をすることができたものと認められるから、特許法第２９条第２項の規定により特許を受けることができないとした原査定は失当であって、その取消しは免れない。
　よって、結論のとおり審決する。